(57)【要約】【課題】コンテンツの分類を変更する際におけるユーザの操作手順が複雑になるのを抑制することが可能な録画装置を提供する。【解決手段】このハードディスクレコーダ１０（録画装置）は、コンテンツを記憶することが可能なハードディスク１２と、コンテンツを再生可能なテレビジョン装置３０に接続されるとともに、テレビジョン装置３０の表示内容を制御する制御部１３とを備え、制御部１３は、ユーザによりコンテンツの属する分類の変更が行われる場合において、変更先の分類と、ハードディスク１２に記憶された全てのコンテンツが選択可能な状態で表示された一覧とを含むコンテンツ整理画面３１０ａ〜３１０ｄをテレビジョン装置３０に表示させるとともに、コンテンツ整理画面３１０ａ〜３１０ｄにおけるユーザの選択決定操作に基づいて分類の変更を行うように構成されている。【選択図】図２
2011234273.tif 000002
【特許請求の範囲】
【請求項１】
コンテンツを記憶することが可能なコンテンツ記憶部と、
前記コンテンツを再生可能な表示装置に接続されるとともに、前記表示装置の表示内容を制御する制御部とを備え、
前記制御部は、ユーザにより前記コンテンツの属する分類の変更が行われる場合において、変更先の分類と、前記コンテンツ記憶部に記憶された全てのコンテンツが選択可能な状態で表示された一覧とを含むコンテンツ整理画面を前記表示装置に表示させるとともに、前記コンテンツ整理画面におけるユーザの選択決定操作に基づいて分類の変更を行うように構成されている、録画装置。
【請求項２】
前記制御部は、前記変更先の分類を、ユーザの分類先選択操作に応じて一つずつ切り替わりながら表示する前記コンテンツ整理画面を前記表示装置に表示させるように構成されている、請求項１に記載の録画装置。
【請求項３】
前記制御部は、前記コンテンツ記憶部に記憶された全てのコンテンツを、前記変更先の分類に属するコンテンツであるか否かをユーザが視覚的に識別可能な状態で一覧表示する前記コンテンツ整理画面を前記表示装置に表示させるように構成されている、請求項１または２に記載の録画装置。
【請求項４】
前記制御部は、ユーザにより前記コンテンツの属する分類の変更が行われた場合において、一覧表示された前記全てのコンテンツ中のユーザにより分類の変更が行われたコンテンツを、前記変更先の分類に属さないことを示す状態から前記変更先の分類に属することを示す状態に切り替えられることにより前記変更先の分類に属するコンテンツであることをユーザが視覚的に識別可能な状態で表示する前記コンテンツ整理画面を前記表示装置に表示させるように構成されている、請求項３に記載の録画装置。
【請求項５】
前記制御部は、ユーザにより前記コンテンツの再生が行われる場合において、前記コンテンツの属する分類と、前記コンテンツの属する分類に属する全てのコンテンツが選択可能な状態で表示された一覧とを含むコンテンツ再生画面を前記表示装置に表示させるとともに、前記コンテンツ再生画面におけるユーザの選択決定操作に基づいて前記コンテンツを前記表示装置に再生させるように構成されている、請求項１〜４のいずれか１項に記載の録画装置。
【請求項６】
前記コンテンツ整理画面を呼び出すための呼び出しボタンを含むリモコンをさらに備え、
前記制御部は、ユーザにより前記呼び出しボタンが押された場合に、前記コンテンツ整理画面を前記表示装置に表示させるように構成されている、請求項１〜５のいずれか１項に記載の録画装置。
【請求項７】
前記リモコンは、前記コンテンツの属する分類の変更を行うための変更ボタンをさらに含み、
前記制御部は、ユーザにより分類の変更が行われるコンテンツが選択された状態でユーザにより前記変更ボタンが押された場合に、前記コンテンツ整理画面を、前記コンテンツの属する分類の変更が行われた後の状態で前記表示装置に表示させるように構成されている、請求項６に記載の録画装置。
【請求項８】
前記コンテンツ記憶部に記憶されたコンテンツがいずれの分類に属しているかを示す分類情報を記憶する分類情報記憶部をさらに備え、
前記リモコンは、前記コンテンツの属する分類の変更の確定を行うための確定ボタンをさらに含み、
前記制御部は、ユーザにより前記コンテンツの属する分類の変更が行われた後に、ユーザにより前記確定ボタンが押された場合に、前記分類情報を前記分類情報記憶部に記憶させるように構成されている、請求項７または８に記載の録画装置。
【請求項９】
前記リモコンは、前記コンテンツの属する分類の変更を破棄するための破棄ボタンをさらに含み、
前記制御部は、ユーザにより前記コンテンツの属する分類の変更が行われた後に、ユーザにより前記破棄ボタンが押された場合に、前記コンテンツ整理画面を、前記コンテンツの分類の変更が行われる前の状態で前記表示装置に表示させるように構成されている、請求項６〜８のいずれか１項に記載の録画装置。  
【発明の詳細な説明】
【技術分野】
【０００１】
この発明は、録画装置に関し、特に、コンテンツ記憶部を備える録画装置に関する。
【背景技術】
【０００２】
従来、コンテンツ記憶部を備える録画装置が知られている（たとえば、特許文献１参照）。
【０００３】
上記特許文献１には、記憶装置（コンテンツ記憶部）を備えるレコーダ（録画装置）と、サーバと、テレビ受像機と、ＰＣとから構成されるホームネットワークシステムにおいて、ホームネットワークシステム内の様々に分類された全てのコンテンツの中から所望のコンテンツを探索するためのコンテンツ探索方法が開示されている。このホームネットワークシステムでは、ユーザは、探索条件としてのコンテンツの分類が選択可能な状態で表示された一覧と、ユーザにより選択された分類に属するコンテンツが選択可能な状態で表示された一覧とを含むコンテンツ探索画面において、探索条件を種々に選択することによりコンテンツの探索を行うことができる。また、ユーザは、コンテンツ探索画面において所望のコンテンツを選択し、コンテンツの分類の変更を行うための機能を呼び出し、さらに変更先の分類を選択することにより、コンテンツの分類の変更を行うことができる。
【先行技術文献】
【特許文献】
【０００４】
【特許文献１】特開２００７−１７９２０７号公報
【発明の概要】
【発明が解決しようとする課題】
【０００５】
しかしながら、上記特許文献１のコンテンツ探索画面においてコンテンツの分類を変更したい場合、ユーザは、コンテンツの分類の変更を行うための機能を呼び出すために、分類を変更したいコンテンツを選択した状態でモードメニューを新たに開き、モードメニューの中からコンテンツの分類を変更するためのモードを選択決定する必要がある。ここで、ユーザは、モードメニューを開く操作およびモードの選択決定操作をリモコンにより行う必要がある。このため、コンテンツの分類を変更する際のユーザの操作手順が複雑になるという問題点がある。
【０００６】
この発明は、上記のような課題を解決するためになされたものであり、この発明の１つの目的は、コンテンツの分類を変更する際におけるユーザの操作手順が複雑になるのを抑制することが可能な録画装置を提供することである。
【課題を解決するための手段および発明の効果】
【０００７】
この発明の一の局面による録画装置は、コンテンツを記憶することが可能なコンテンツ記憶部と、コンテンツを再生可能な表示装置に接続されるとともに、表示装置の表示内容を制御する制御部とを備え、制御部は、ユーザによりコンテンツの属する分類の変更が行われる場合において、変更先の分類と、コンテンツ記憶部に記憶された全てのコンテンツが選択可能な状態で表示された一覧とを含むコンテンツ整理画面を表示装置に表示させるとともに、コンテンツ整理画面におけるユーザの選択決定操作に基づいて分類の変更を行うように構成されている。
【０００８】
この一の局面による録画装置では、上記のように、制御部を、変更先の分類と、コンテンツ記憶部に記憶された全てのコンテンツが選択可能な状態で表示された一覧とを含むコンテンツ整理画面におけるユーザの選択決定操作に基づいて分類の変更を行うように構成することによって、コンテンツ整理画面のみを用いてコンテンツの属する分類の変更を行うことができるので、コンテンツの属する分類の変更を行いたい場合に、たとえば分類を変更させたいコンテンツが選択された状態でモードメニュー（新たな画面）を開き、モードメニューの中からコンテンツの分類を変更するためのモードを選択する場合と異なり、別途新たな画面を開く必要がない。その結果、コンテンツの分類を変更する際におけるユーザの操作手順が複雑になるのを抑制することができる。
【０００９】
上記一の局面による録画装置において、好ましくは、制御部は、変更先の分類を、ユーザの分類先選択操作に応じて一つずつ切り替わりながら表示するコンテンツ整理画面を表示装置に表示させるように構成されている。このように構成すれば、変更先の分類が一つずつコンテンツ整理画面に表示されるので、ユーザは、コンテンツ整理画面を見ることにより、現在表示されている変更先の分類を誤りなく確実に認識することができる。
【００１０】
上記一の局面による録画装置において、好ましくは、制御部は、コンテンツ記憶部に記憶された全てのコンテンツを、変更先の分類に属するコンテンツであるか否かをユーザが視覚的に識別可能な状態で一覧表示するコンテンツ整理画面を表示装置に表示させるように構成されている。このように構成すれば、ユーザは、コンテンツ整理画面を見ることにより、コンテンツ整理画面に表示された全てのコンテンツのうち、どのコンテンツが変更先の分類に属しており、どのコンテンツが変更先の分類に属していないかを容易に認識することができる。
【００１１】
この場合、好ましくは、制御部は、ユーザによりコンテンツの属する分類の変更が行われた場合において、一覧表示された全てのコンテンツ中のユーザにより分類の変更が行われたコンテンツを、変更先の分類に属さないことを示す状態から変更先の分類に属することを示す状態に切り替えられることにより変更先の分類に属するコンテンツであることをユーザが視覚的に識別可能な状態で表示するコンテンツ整理画面を表示装置に表示させるように構成されている。このように構成すれば、ユーザによりコンテンツの分類の変更が行われた場合、分類の変更が行われたコンテンツの表示が変更先の分類に属さないことを示す状態から変更先の分類に属することを示す状態に切り替えられるので、ユーザは、コンテンツ整理画面を見ることにより、コンテンツの分類の変更が行われたことを容易に認識することができる。
【００１２】
上記一の局面による録画装置において、好ましくは、制御部は、ユーザによりコンテンツの再生が行われる場合において、コンテンツの属する分類と、コンテンツの属する分類に属する全てのコンテンツが選択可能な状態で表示された一覧とを含むコンテンツ再生画面を表示装置に表示させるとともに、コンテンツ再生画面におけるユーザの選択決定操作に基づいてコンテンツを表示装置に再生させるように構成されている。このように構成すれば、ユーザは、コンテンツ整理画面を用いて分類されたコンテンツが表示されるコンテンツ再生画面を見ながら表示装置に再生させたい所望のコンテンツを容易に選択することができる。
【００１３】
上記一の局面による録画装置において、好ましくは、コンテンツ整理画面を呼び出すための呼び出しボタンを含むリモコンをさらに備え、制御部は、ユーザにより呼び出しボタンが押された場合に、コンテンツ整理画面を表示装置に表示させるように構成されている。このように構成すれば、ユーザは、呼び出しボタンを押すことによりコンテンツ整理画面を呼び出すことができるので、たとえばメニュー画面を経由してコンテンツ整理画面を呼び出す場合と異なり、コンテンツ整理画面を呼び出す際におけるユーザの操作の負担を軽減することができる。
【００１４】
この場合、好ましくは、リモコンは、コンテンツの属する分類の変更を行うための変更ボタンをさらに含み、制御部は、ユーザにより分類の変更が行われるコンテンツが選択された状態でユーザにより変更ボタンが押された場合に、コンテンツ整理画面を、コンテンツの属する分類の変更が行われた後の状態で表示装置に表示させるように構成されている。このように構成すれば、ユーザは、コンテンツが選択された状態で変更ボタンを押すことにより、選択したコンテンツの属する分類の変更を行うことができるので、たとえばコンテンツが選択された状態でサブメニューを開いて分類の変更を選択決定することによりコンテンツの分類の変更を行う場合と異なり、コンテンツの分類の変更を行う際におけるユーザの操作の負担を軽減することができる。
【００１５】
上記リモコンを備える録画装置において、好ましくは、コンテンツ記憶部に記憶されたコンテンツがいずれの分類に属しているかを示す分類情報を記憶する分類情報記憶部をさらに備え、リモコンは、コンテンツの属する分類の変更の確定を行うための確定ボタンをさらに含み、制御部は、ユーザによりコンテンツの属する分類の変更が行われた後に、ユーザにより確定ボタンが押された場合に、分類情報を分類情報記憶部に記憶させるように構成されている。このように構成すれば、ユーザにより確定ボタンが押されることによって変更が確定された分類情報を分類情報記憶部に記憶させておくことができるので、分類情報の管理を容易に行うことができる。
【００１６】
上記リモコンを備える録画装置において、好ましくは、リモコンは、コンテンツの属する分類の変更を破棄するための破棄ボタンをさらに含み、制御部は、ユーザによりコンテンツの属する分類の変更が行われた後に、ユーザにより破棄ボタンが押された場合に、コンテンツ整理画面を、コンテンツの分類の変更が行われる前の状態で表示装置に表示させるように構成されている。このように構成すれば、たとえばコンテンツの分類の変更が複数回行われた状態で変更を破棄したい場合において、ユーザは、複数回行われた変更の一つ一つを個別に破棄することなく、破棄ボタンを押すことにより一括して変更を破棄することができるので、分類の変更の破棄を行う際におけるユーザの操作の負担を軽減することができる。
【図面の簡単な説明】
【００１７】
【図１】本発明の一実施形態によるハードディスクレコーダの構成を示したブロック図である。
【図２】本発明の一実施形態によるハードディスクレコーダのコンテンツがユーザにより移動される場合における制御部の制御動作を説明するためのフローチャートである。
【図３】本発明の一実施形態によるハードディスクレコーダのメモリに記憶される分類情報を示したイメージ図である。
【図４】本発明の一実施形態によるハードディスクレコーダの制御部が表示装置に表示させるコンテンツ整理画面を示した図である。
【図５】本発明の一実施形態によるハードディスクレコーダの制御部が表示装置に表示させるコンテンツ整理画面においてユーザにより移動先のフォルダが選択された状態を示した図である。
【図６】本発明の一実施形態によるハードディスクレコーダの制御部が表示装置に表示させるコンテンツ整理画面においてユーザによりフォルダを移動させるコンテンツが選択された状態を示した図である。
【図７】本発明の一実施形態によるハードディスクレコーダの制御部が表示装置に表示させるコンテンツ整理画面においてユーザにより選択されたコンテンツの移動が決定された状態を示した図である。
【図８】本発明の一実施形態によるハードディスクレコーダのメモリに記憶される分類情報を示したイメージ図である。
【図９】本発明の一実施形態によるハードディスクレコーダのコンテンツが表示装置に再生される場合における制御部の制御動作を説明するためのフローチャートである。
【図１０】本発明の一実施形態によるハードディスクレコーダの制御部が表示装置に表示させるコンテンツ再生画面を示した図である。
【図１１】本発明の一実施形態の第１変形例によるハードディスクレコーダの制御部が表示装置に表示させるコンテンツ整理画面を示した図である。
【図１２】本発明の一実施形態の第１変形例によるハードディスクレコーダの制御部が表示装置に表示させるコンテンツ整理画面を示した図である。
【図１３】本発明の一実施形態の第２変形例によるハードディスクレコーダの制御部が表示装置に表示させるコンテンツ整理画面を示した図である。
【図１４】本発明の一実施形態の第３変形例によるハードディスクレコーダの制御部が表示装置に表示させるコンテンツ整理画面を示した図である。
【図１５】本発明の一実施形態の第４変形例によるハードディスクレコーダの制御部が表示装置に表示させるコンテンツ整理画面を示した図である。
【発明を実施するための形態】
【００１８】
以下、本発明の実施形態を図面に基づいて説明する。
【００１９】
まず、図１を参照して、本発明の一実施形態によるハードディスクレコーダ１０の構成について説明する。なお、ハードディスクレコーダ１０は、本発明の「録画装置」の一例である。
【００２０】
ハードディスクレコーダ１０は、図１に示すように、チューナ１１と、ハードディスク１２と、制御部１３と、映像出力部１４と、リモコン受信部１５と、リモコン１６と、メモリ１７とから構成されている。なお、ハードディスク１２は、本発明の「コンテンツ記憶部」の一例であり、メモリ１７は、本発明の「分類情報記憶部」の一例である。
【００２１】
チューナ１１は、アンテナ２０を介してテレビジョン放送などのコンテンツを受信可能なように構成されている。ハードディスク１２は、チューナ１１により受信されたコンテンツを記憶可能なように構成されている。また、ハードディスク１２に記憶されたコンテンツは、ユーザの設定により様々に分類される。以下では、ハードディスク１２には６つのコンテンツＡ〜Ｆが記憶されており、６つのコンテンツＡ〜Ｆは、ユーザにより作成された３つのフォルダ１〜３に分類（フォルダ分け）されるものとする。たとえば、フォルダ１〜３は、それぞれ、父のフォルダ、母のフォルダ、子のフォルダである。
【００２２】
制御部１３は、制御信号を伝送することによってハードディスクレコーダ１０全体の制御を行うように構成されている。また、制御部１３は、映像出力部１４を介してテレビジョン装置３０に接続されている。これにより、制御部１３は、テレビジョン装置３０の表示部３１の表示内容を制御することが可能である。たとえば、制御部１３は、ハードディスク１２に記憶されているコンテンツをテレビジョン装置３０の表示部３１に再生させることが可能である。
【００２３】
リモコン受信部１５は、リモコン１６からの操作信号を受信するように構成されている。リモコン受信部１５により受信された操作信号は、制御部１３に送信される。これにより、ユーザは、リモコン１６を操作することにより、ハードディスクレコーダ１０およびテレビジョン装置３０の制御を行うことが可能である。
【００２４】
ここで、本実施形態では、リモコン１６には、上下ボタン１６ａと、左右ボタン１６ｂと、決定ボタン１６ｃと、整理画面呼び出しボタン１６ｄと、確定ボタン１６ｅと、破棄ボタン１６ｆと、再生画面呼出ボタン１６ｇとが設けられている。リモコン１６は、上下ボタン１６ａ、左右ボタン１６ｂ、決定ボタン１６ｃ、整理画面呼び出しボタン１６ｄ、確定ボタン１６ｅ、破棄ボタン１６ｆまたは再生画面呼出ボタン１６ｇがユーザにより押された場合、それぞれのボタンに割り当てられた機能に基づいた操作信号をリモコン受信部１５に送信するように構成されている。なお、決定ボタン１６ｃは、本発明の「変更ボタン」の一例であり、整理画面呼び出しボタン１６ｄは、本発明の「呼び出しボタン」の一例である。
【００２５】
整理画面呼び出しボタン１６ｄは、後述するコンテンツ整理画面３１０ａ〜３１０ｄ（図４〜図７参照）を呼び出す機能を有する。また、左右ボタン１６ｂは、後述するコンテンツ整理画面３１０ａ〜３１０ｄ（図４〜図７参照）において、変更先の分類（移動先のフォルダ）を切り替える機能を有する。また、上下ボタン１６ａは、後述するコンテンツ整理画面３１０ａ〜３１０ｄ（図４〜図７参照）において、分類の変更（フォルダの移動）を行うコンテンツを選択する機能を有する。また、決定ボタン１６ｃは、分類の変更（フォルダの移動）を実行する機能を有する。また、確定ボタン１６ｅは、実行された分類の変更（フォルダの移動）の内容を確定させる機能を有する。また、破棄ボタン１６ｆは、実行された分類の変更（フォルダの移動）の内容を破棄させる機能を有する。また、再生画面呼出ボタン１６ｇは、後述するコンテンツ再生画面３１１（図１０参照）を呼び出す機能を有する。
【００２６】
また、メモリ１７は、ハードディスク１２に記憶されたコンテンツがどの分類（フォルダ）に属しているかを示す分類情報（図３および図８参照）を記憶するように構成されている。たとえば、図３の分類情報は、ハードディスク１２に記憶された６つのコンテンツＡ〜Ｆのうち、コンテンツＡおよびＥがフォルダ１（父）に属し、コンテンツＦおよびＤがフォルダ２（母）に属し、コンテンツＣおよびＢがフォルダ３（子）に属していることを示している。
【００２７】
制御部１３は、ユーザによりコンテンツの属する分類の変更（フォルダの移動）が行われる場合において、変更先の分類（移動先のフォルダ）と、ハードディスク１２に記憶された全てのコンテンツが選択可能な状態で表示された一覧とを含むコンテンツ整理画面３１０ａ〜３１０ｄ（図４〜図７参照）をテレビジョン装置３０の表示部３１に表示させるように構成されている。また、制御部１３は、ユーザによりリモコン１６の整理画面呼び出しボタン１６ｄが押された場合に、コンテンツ整理画面３１０ａ〜３１０ｄ（図４〜図７参照）をテレビジョン装置３０の表示部３１に表示させるように構成されている。なお、本実施形態では、コンテンツ整理画面３１０ａ〜３１０ｄ（図４〜図７参照）に一覧表示されたコンテンツの表示の順番は、上からコンテンツＣ、Ｆ、Ｂ、Ａ、ＤおよびＥの順番に固定されている。
【００２８】
また、制御部１３は、コンテンツ整理画面３１０ａ〜３１０ｄ（図４〜図７参照）におけるユーザの選択決定操作（リモコン１６の上下ボタン１６ａ、左右ボタン１６ｂ、決定ボタン１６ｃ、確定ボタン１６ｅおよび破棄ボタン１６ｆの操作）に基づいてコンテンツの属する分類の変更（フォルダの移動）を行うように構成されている。
【００２９】
また、制御部１３は、変更先の分類（移動先のフォルダ）を、ユーザの分類先（移動先）選択操作（リモコン１６の左右ボタン１６ｂの操作）に応じて一つずつ切り替わりながら表示するコンテンツ整理画面３１０ａ〜３１０ｄ（図４〜図７参照）をテレビジョン装置３０の表示部３１に表示させるように構成されている。本実施形態では、移動先のフォルダがいわゆるトグル形式でコンテンツ整理画面３１０ａ〜３１０ｄ（図４〜図７参照）に一つずつ切り替わりながら表示される。
【００３０】
また、制御部１３は、ハードディスク１２に記憶された全てのコンテンツを、変更先の分類（移動先のフォルダ）に属するコンテンツであるか否かをユーザが視覚的に識別可能な状態で一覧表示するコンテンツ整理画面３１０ａ〜３１０ｄ（図４〜図７参照）をテレビジョン装置３０の表示部３１に表示させるように構成されている。本実施形態では、コンテンツ整理画面３１０ａ〜３１０ｄ（図４〜図７参照）に一覧表示されたコンテンツのうち、移動先のフォルダに属するコンテンツがいわゆるハイライト表示により強調される。なお、ハイライト表示とは、ハイライト表示された部分を明るく目立つように見せるための表示である。
【００３１】
また、制御部１３は、ユーザのリモコン１６の操作（上下ボタン１６ａ、左右ボタン１６ｂおよび決定ボタン１６ｃの操作）によりコンテンツの属する分類の変更（フォルダの移動）が行われた場合において、一覧表示された全てのコンテンツ中の、ユーザにより分類の変更（フォルダの移動）が行われたコンテンツを、変更先の分類（移動先のフォルダ）に属さないことを示す状態から変更先の分類（移動先のフォルダ）に属することを示す状態に切り替えられることにより変更先の分類（移動先のフォルダ）に属するコンテンツであることをユーザが視覚的に識別可能な状態で表示するコンテンツ整理画面３１０ａ〜３１０ｄ（図４〜図７参照）をテレビジョン装置３０の表示部３１に表示させるように構成されている。
【００３２】
また、制御部１３は、ユーザの上下ボタン１６ａの操作により分類の変更（フォルダの移動）が行われるコンテンツが選択された状態で、ユーザにより決定ボタン１６ｃが押された場合に、コンテンツ整理画面３１０ａ〜３１０ｄ（図４〜図７参照）を、分類の変更（フォルダの移動）が行われた後の状態でテレビジョン装置３０の表示部３１に表示させるように構成されている。本実施形態では、ユーザの上下ボタン１６ａの操作によりフォルダの移動を行うコンテンツが選択され、ユーザによりリモコン１６の決定ボタン１６ｃが押されることによってコンテンツのフォルダの移動が行われた場合、フォルダの移動が行われたコンテンツがコンテンツ整理画面３１０ａ〜３１０ｄ（図４〜図７参照）においていわゆるグレー表示からいわゆるハイライト表示に切り替わって表示される。なお、グレー表示とは、グレー表示された部分をハイライト表示された部分よりも暗く見せるための表示である。
【００３３】
また、制御部１３は、ユーザによりコンテンツの属する分類の変更（フォルダの移動）が行われた後に、ユーザにより確定ボタン１６ｅが押された場合に、分類情報（図３および図８参照）をメモリ１７に記憶させるように構成されている。すなわち、制御部１３は、ユーザによりリモコン１６の確定ボタン１６ｅが押されることによってコンテンツのフォルダの移動が確定された場合に、メモリ１７に記憶されている分類情報（図３および図８参照）を、フォルダの移動が行われる前の内容からフォルダの移動が行われた後の内容に更新する。
【００３４】
また、制御部１３は、ユーザによりコンテンツの属する分類の変更（フォルダの移動）が行われた後に、ユーザにより破棄ボタン１６ｆが押された場合に、コンテンツ整理画面３１０ａ〜３１０ｄ（図４〜図７参照）を、分類の変更（フォルダの移動）が行われる前の状態でテレビジョン装置３０の表示部３１に表示させるように構成されている。
【００３５】
また、制御部１３は、ユーザによりコンテンツの再生が行われる場合において、コンテンツの属する分類（フォルダ）と、コンテンツの属する分類（フォルダ）に属する全てのコンテンツが選択可能な状態で表示された一覧とを含むコンテンツ再生画面３１１（図１０参照）をテレビジョン装置３０の表示部３１に表示させるように構成されている。また、制御部１３は、コンテンツ再生画面３１１（図１０参照）におけるユーザのリモコン１６による選択決定操作に基づいてコンテンツをテレビジョン装置３０の表示部３１に再生させるように構成されている。
【００３６】
次に、図２〜図８を参照して、本実施形態による制御部１３の、ユーザによりコンテンツの分類の変更が行われる場合における制御動作について説明する。以下では、ハードディスク１２に記憶されている６つのコンテンツＡ〜Ｆが、図３に示すような分類情報に従ってフォルダ１〜３にフォルダ分けされているものとして、ユーザのリモコン１６の操作によりコンテンツＡがフォルダ１（父）からフォルダ２（母）へと移動する場合について説明する。
【００３７】
図２に示すように、コンテンツＡがフォルダ１（父）からフォルダ２（母）へと移動する場合においては、まず、ステップＳ１において、ユーザによりリモコン１６の整理画面呼び出しボタン１６ｄが押されることにより、図４に示すようなコンテンツ整理画面３１０ａがテレビジョン装置３０の表示部３１に表示され、ステップＳ２に進む。図４では、移動先のフォルダとしてフォルダ１（父）が表示されている。また、図４では、ハードディスク１２に記憶された６つのコンテンツＡ〜Ｆのコンテンツ名（たとえば、番組のタイトル）が一覧表示されている。そして、一覧表示されたコンテンツＡ〜Ｆのうち、フォルダ１（父）に属しているコンテンツであるコンテンツＡおよびＥがいわゆるハイライト表示により強調されている。
【００３８】
次に、ステップＳ２において、ユーザにより移動先のフォルダが選択されたか否かが判断される。ステップＳ２においては、ユーザによりリモコン１６の左右ボタン１６ｂが押され、移動先のフォルダが選択されるまでこの判断が繰り返され、ユーザによりリモコン１６の左右ボタン１６ｂが押され、移動先のフォルダが選択されたと判断された場合に、ステップＳ３に進む。以下では、移動先のフォルダとしてフォルダ２（母）が選択されたものとする。次に、ステップＳ３において、ステップＳ２において選択された移動先のフォルダ（フォルダ２（母））がコンテンツ整理画面３１０ｂ（図５参照）に表示され、ステップＳ４に進む。なお、ステップＳ１において表示されたフォルダ１（父）を移動先のフォルダとして選択する場合には、ステップＳ２およびステップＳ３の動作は行われず、ステップＳ４に進む。
【００３９】
次に、ステップＳ４において、移動させるコンテンツが選択されたか否かが判断される。ステップＳ４においては、ユーザによりリモコン１６の上下ボタン１６ａが押され、移動させるコンテンツが選択されるまでこの判断が繰り返され、ユーザによりリモコン１６の上下ボタン１６ａが押され、移動させるコンテンツが選択されたと判断された場合に、ステップＳ５に進む。以下では、移動させるコンテンツとしてコンテンツＡが選択されたものとする。この場合、ユーザの上下ボタン１６ａの操作により、図５に示すコンテンツ整理画面３１０ｂに表示されるカーソルがコンテンツＡを囲む位置に移動され、図６に示すコンテンツ整理画面３１０ｃがテレビジョン装置３０の表示部３１に表示される。
【００４０】
次に、ステップＳ５において、ステップＳ４においてユーザにより選択されたコンテンツの移動が決定されたか否かが判断される。ステップＳ５においては、ユーザによりリモコン１６の決定ボタン１６ｃが押され、コンテンツの移動が決定されるまでこの判断が繰り返され、ユーザによりリモコン１６の決定ボタン１６ｃが押され、コンテンツの移動が決定されたと判断された場合に、ステップＳ６に進む。以下では、ユーザによりリモコン１６の決定ボタン１６ｃが押され、ステップＳ４においてユーザにより選択されたコンテンツＡの移動が決定されたものとする。なお、ステップＳ４〜Ｓ６の動作は、繰り返し行うことが可能である。つまり、移動させるコンテンツの選択および移動の決定は、複数のコンテンツにおいて行うことが可能である。
【００４１】
次に、ステップＳ６において、ステップＳ５において移動が決定されたコンテンツ（フォルダＡ）の表示を切り替え、ステップＳ７に進む。具体的には、図６に示すコンテンツ整理画面３１０ｃにおいてユーザにより決定ボタン１６ｃが押された場合、ステップＳ５において移動が決定されたコンテンツＡの表示がいわゆるハイライト表示に切り替わり、図７に示すコンテンツ整理画面３１０ｄがテレビジョン装置３０の表示部３１に表示される。
【００４２】
次に、ステップＳ７において、ユーザのリモコン１６の操作によるコンテンツの移動が確定されたか否かが判断される。ステップＳ７においては、ユーザによりリモコン１６の確定ボタン１６ｅが押され、コンテンツの移動が確定されるまでこの判断が繰り返され、ユーザによりリモコン１６の確定ボタン１６ｅが押され、コンテンツの移動が確定された場合に、ステップＳ８に進む。以下では、図７に示すコンテンツ整理画面３１０ｄがテレビジョン装置３０の表示部３１に表示された状態で、ユーザによりリモコン１６の確定ボタン１６ｅが押されたものとする。なお、コンテンツの選択および移動の決定が複数のコンテンツにおいて行われていた場合には、リモコン１６の確定ボタン１６ｅが押されることにより、選択および移動の決定がされていた複数のコンテンツの全ての選択および決定が確定される。
【００４３】
次に、ステップＳ８において、ステップＳ７において確定された移動の内容（コンテンツＡがフォルダ１（父）からフォルダ２（母）へと移動したこと）を反映した分類情報をメモリ１７に記憶させる。具体的には、図８に示すような、コンテンツＥがフォルダ１（父）に属し、コンテンツＦ、ＡおよびＤがフォルダ２（母）に属し、コンテンツＣおよびＢがフォルダ３（子）に属していることを示す分類情報がメモリ１７に記憶される。そして、制御動作を終了する。これにより、コンテンツＡがフォルダ１（父）からフォルダ２（母）へと移動する。
【００４４】
なお、ステップＳ７においては、ユーザによりリモコン１６の確定ボタン１６ｅが押されず、コンテンツの移動が確定されなかった場合に、ステップＳ９に進む。次に、ステップＳ９において、ユーザによりリモコン１６の破棄ボタン１６ｆが押されることによってコンテンツの移動が破棄されたか否かが判断される。ステップＳ９においては、ユーザによりリモコン１６の破棄ボタン１６ｆが押され、コンテンツの移動が破棄されたと判断された場合に、ステップＳ４〜ステップＳ６において行われたコンテンツの選択および移動の決定が破棄される。そして、ステップＳ４に戻る。なお、コンテンツの選択および移動の決定が複数のコンテンツにおいて行われていた場合には、リモコン１６の破棄ボタン１６ｆが押されることにより、選択および移動の決定がされていた複数のコンテンツの全ての選択および決定が破棄される。また、ステップＳ９においては、ユーザによりリモコン１６の破棄ボタン１６ｆが押されず、コンテンツの移動が破棄されなかったと判断された場合に、ステップＳ７に戻る。
【００４５】
次に、図９および図１０を参照して、本実施形態による制御部１３の、ユーザのリモコン１６の操作により選択されたコンテンツの再生が行われる場合における制御動作について説明する。
【００４６】
図９に示すように、ユーザにより選択されたコンテンツの再生が行われる場合においては、まず、ステップＳ１１において、ユーザによりリモコン１６の再生画面呼出ボタン１６ｇが押されることによって、図１０に示すようなコンテンツ再生画面３１１がテレビジョン装置３０の表示部３１に表示され、ステップＳ１２に進む。
【００４７】
次に、ステップＳ１２において、ユーザによりフォルダが選択されたか否かが判断される。ステップＳ１２においては、ユーザによりリモコン１６の左右ボタン１６ｂが押され、フォルダが選択されるまでこの判断が繰り返され、ユーザによりリモコン１６の左右ボタン１６ｂが押され、フォルダが選択されたと判断された場合に、ステップＳ１３に進む。図１０では、フォルダ２（母）が選択されている。
【００４８】
次に、ステップＳ１３において、ステップＳ１２においてユーザにより選択されたフォルダに属する全てのコンテンツの一覧がコンテンツ再生画面３１１（図１０参照）に表示され、ステップＳ１４に進む。図１０では、フォルダ２（母）に属する全てのコンテンツである、コンテンツＦ、ＡおよびＤが一覧表示されている。
【００４９】
次に、ステップＳ１４において、ユーザによりテレビジョン装置３０の表示部３１に再生させるコンテンツが選択されたか否かが判断される。ステップＳ１４においては、ユーザによりリモコン１６の上下ボタン１６ａが押され、テレビジョン装置３０の表示部３１に再生させるコンテンツが選択されるまでこの判断が繰り返され、ユーザによりリモコン１６の上下ボタン１６ａが押され、テレビジョン装置３０の表示部３１に再生させるコンテンツが選択されたと判断された場合に、ステップＳ１５に進む。図１０では、コンテンツＦが選択されている。
【００５０】
次に、ステップＳ１５において、ステップＳ１４においてユーザにより選択されたコンテンツの再生が決定されたか否かが判断される。ステップＳ１５においては、ユーザによりリモコン１６の決定ボタン１６ｃが押され、コンテンツの再生が決定されるまでこの判断が繰り返され、ユーザによりリモコン１６の決定ボタン１６ｃが押され、コンテンツの再生が決定されたと判断された場合に、ステップＳ１６に進む。
【００５１】
次に、ステップＳ１６において、ステップＳ１５において再生を行うことがユーザにより決定されたコンテンツを、テレビジョン装置３０の表示部３１に再生させる。そして、制御動作を終了する。これにより、ユーザにより選択されたコンテンツがテレビジョン装置３０の表示部３１に再生される。
【００５２】
本実施形態によるハードディスクレコーダ１０では、上記のように、制御部１３を、変更先の分類と、コンテンツ記憶部に記憶された全てのコンテンツが選択可能な状態で表示された一覧とを含むコンテンツ整理画面３１０ａ〜３１０ｄにおけるユーザの選択決定操作に基づいて分類の変更を行うように構成することによって、コンテンツ整理画面３１０ａ〜３１０ｄのみを用いてコンテンツの属する分類の変更を行うことができるので、コンテンツの属する分類の変更を行いたい場合に、たとえば分類を変更させたいコンテンツが選択された状態でモードメニュー（新たな画面）を開き、モードメニューの中からコンテンツの分類を変更するためのモードを選択する場合と異なり、別途新たな画面を開く必要がない。その結果、コンテンツの分類を変更する際におけるユーザの操作手順が複雑になるのを抑制することができる。
【００５３】
また、本実施形態では、上記のように、制御部１３を、変更先の分類を、ユーザの分類先選択操作に応じて一つずつ切り替わりながら表示するコンテンツ整理画面３１０ａ〜３１０ｄをテレビジョン装置３０に表示させるように構成している。これにより、変更先の分類が一つずつコンテンツ整理画面３１０ａ〜３１０ｄに表示されるので、ユーザは、コンテンツ整理画面３１０ａ〜３１０ｄを見ることにより、現在表示されている変更先の分類を誤りなく確実に認識することができる。
【００５４】
また、本実施形態では、上記のように、制御部１３を、ハードディスク１２に記憶された全てのコンテンツを、変更先の分類に属するコンテンツであるか否かをユーザが視覚的に識別可能な状態で一覧表示するコンテンツ整理画面３１０ａ〜３１０ｄをテレビジョン装置３０に表示させるように構成している。これにより、ユーザは、コンテンツ整理画面３１０ａ〜３１０ｄを見ることにより、コンテンツ整理画面３１０ａ〜３１０ｄに表示された全てのコンテンツのうち、どのコンテンツが変更先の分類に属しており、どのコンテンツが変更先の分類に属していないかを容易に認識することができる。
【００５５】
また、本実施形態では、上記のように、制御部１３を、ユーザによりコンテンツの属する分類の変更が行われた場合において、一覧表示された全てのコンテンツ中のユーザにより分類の変更が行われたコンテンツを、変更先の分類に属さないことを示す状態（グレー表示）から変更先の分類に属することを示す状態（ハイライト表示）に切り替えられることにより変更先の分類に属するコンテンツであることをユーザが視覚的に識別可能な状態で表示するコンテンツ整理画面３１０ａ〜３１０ｄをテレビジョン装置３０に表示させるように構成している。これにより、ユーザによりコンテンツの分類の変更が行われた場合、分類の変更が行われたコンテンツの表示が変更先の分類に属さないことを示す状態から変更先の分類に属することを示す状態に切り替えられるので、ユーザは、コンテンツ整理画面３１０ａ〜３１０ｄを見ることにより、コンテンツの分類の変更が行われたことを容易に認識することができる。
【００５６】
また、本実施形態では、上記のように、制御部１３を、ユーザによりコンテンツの再生が行われる場合において、コンテンツの属する分類と、コンテンツの属する分類に属する全てのコンテンツが選択可能な状態で表示された一覧とを含むコンテンツ再生画面３１１をテレビジョン装置３０に表示させるとともに、コンテンツ再生画面３１１におけるユーザの選択決定操作に基づいてコンテンツをテレビジョン装置３０に再生させるように構成されている。このように構成すれば、ユーザは、コンテンツ整理画面３１０ａ〜３１０ｄを用いて分類されたコンテンツが表示されるコンテンツ再生画面３１１を見ながらテレビジョン装置３０に再生させたい所望のコンテンツを容易に選択することができる。
【００５７】
また、本実施形態では、上記のように、コンテンツ整理画面３１０ａ〜３１０ｄを呼び出すための整理画面呼び出しボタン１６ｄを含むリモコン１６を設け、制御部１３、ユーザにより整理画面呼び出しボタン１６ｄが押された場合に、コンテンツ整理画面３１０ａ〜３１０ｄを表示装置に表示させるように構成している。これにより、ユーザは、整理画面呼び出しボタン１６ｄを押すことによりコンテンツ整理画面３１０ａ〜３１０ｄを呼び出すことができるので、たとえばメニュー画面を経由してコンテンツ整理画面３１０ａ〜３１０ｄを呼び出す場合と異なり、コンテンツ整理画面３１０ａ〜３１０ｄを呼び出す際におけるユーザの操作の負担を軽減することができる。
【００５８】
また、本実施形態では、上記のように、リモコン１６に、コンテンツの属する分類の変更を行うための決定ボタン１６ｃを設け、制御部１３を、ユーザにより分類の変更が行われるコンテンツが選択された状態でユーザにより決定ボタン１６ｃが押された場合に、コンテンツ整理画面３１０ａ〜３１０ｄを、コンテンツの属する分類の変更が行われた後の状態（ハイライト表示）でテレビジョン装置３０に表示させるように構成されている。これにより、ユーザは、コンテンツが選択された状態で決定ボタン１６ｃを押すことにより、選択したコンテンツの属する分類の変更を行うことができるので、たとえばコンテンツが選択された状態でサブメニューを開いて分類の変更を選択決定することによりコンテンツの分類の変更を行う場合と異なり、コンテンツの分類の変更を行う際におけるユーザの操作の負担を軽減することができる。
【００５９】
また、本実施形態では、上記のように、ハードディスク１２に記憶されたコンテンツがいずれの分類に属しているかを示す分類情報を記憶するメモリ１７を設け、リモコン１６に、コンテンツの属する分類の変更の確定を行うための確定ボタン１６ｅを設け、制御部１３を、ユーザによりコンテンツの属する分類の変更が行われた後に、ユーザにより確定ボタン１６ｅが押された場合に、分類情報をメモリ１７に記憶させるように構成している。これにより、ユーザにより確定ボタン１６ｅが押されることによって変更が確定された分類情報をメモリ１７に記憶させておくことができるので、分類情報の管理を容易に行うことができる。
【００６０】
また、本実施形態では、上記のように、リモコン１６に、コンテンツの属する分類の変更を破棄するための破棄ボタン１６ｆを設け、制御部１３を、ユーザによりコンテンツの属する分類の変更が行われた後に、ユーザにより破棄ボタン１６ｆが押された場合に、コンテンツ整理画面３１０ａ〜３１０ｄを、コンテンツの分類の変更が行われる前の状態でテレビジョン装置３０に表示させるように構成している。これにより、たとえばコンテンツの分類の変更が複数回行われた状態で変更を破棄したい場合において、ユーザは、複数回行われた変更の一つ一つを個別に破棄することなく、破棄ボタン１６ｆを押すことにより一括して変更を破棄することができるので、分類の変更の破棄を行う際におけるユーザの操作の負担を軽減することができる。
【００６１】
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更が含まれる。
【００６２】
たとえば、上記実施形態では、コンテンツ整理画面におけるユーザのリモコン操作によって、ユーザにより選択されたコンテンツが移動元のフォルダから移動先のフォルダへと移動するハードディスクレコーダを示したが、本発明はこれに限らない。本発明では、ユーザにより選択されたコンテンツが移動元のフォルダから移動先のフォルダへとコピーされるハードディスクレコーダであってもよい。つまり、複数のフォルダに同一のコンテンツを属させるようにしてもよい。
【００６３】
また、上記実施形態では、移動先のフォルダをいわゆるトグル形式で一つずつ切り替えながら表示するコンテンツ整理画面をテレビジョン装置に表示させるハードディスクレコーダを示したが、本発明はこれに限らない。本発明では、図１１および図１２に示す第１変形例のように、移動先のフォルダの一覧をいわゆるタブ形式で選択可能に表示するコンテンツ整理画面をテレビジョン装置に表示させるハードディスクレコーダであってもよい。第１変形例では、たとえば、フォルダ１（父）のタブに対応するコンテンツ整理画面（図１１参照）は、ユーザによりタブが変更された場合（たとえば、フォルダ２（母）のタブに変更された場合）、フォルダ２（母）のタブに対応するコンテンツ整理画面（図１２参照）に切り替わる。
【００６４】
また、上記実施形態では、移動先のフォルダに属するコンテンツをいわゆるハイライト表示により強調して表示するコンテンツ整理画面（図４〜図７参照）をテレビジョン装置に表示させるハードディスクレコーダを示したが、本発明はこれに限らない。本発明では、移動先のフォルダに属するコンテンツを色づけすることにより強調して表示するコンテンツ整理画面をテレビジョン装置に表示させるハードディスクレコーダであってもよい。また、本発明では、所定のフォルダに属するコンテンツがユーザにとって視覚的に識別可能であれば、図１３に示す第２変形例のような、コンテンツとコンテンツの属するフォルダ名とを併せて表示するコンテンツ整理画面をテレビジョン装置に表示させるハードディスクレコーダであってもよい。第２変形例では、ユーザにより移動先のフォルダおよび移動させるコンテンツが選択され、ユーザによりコンテンツの移動が決定された場合に、ユーザにより選択されたコンテンツのフォルダ名が移動先のフォルダのフォルダ名に切り替わる。
【００６５】
また、上記実施形態では、コンテンツ整理画面（図４〜図７参照）に一覧表示されたコンテンツの表示の順番が固定されている（たとえば、図５参照）ハードディスクレコーダを示したが、本発明はこれに限らない。本発明では、図１４に示す第３変形例のように、コンテンツ整理画面に一覧表示されたコンテンツを、アルファベット順に並べ替えて表示可能なハードディスクレコーダであってもよい。また、本発明では、図１５に示す第４変形例のように、コンテンツ整理画面に一覧表示されたコンテンツを、コンテンツの録画日順に並び替えて表示可能なハードディスクレコーダであってもよい。なお、コンテンツの表示の並び替え操作は、ユーザのリモコン１６の操作により行われる。
【００６６】
また、上記実施形態では、本発明の録画装置としてハードディスクレコーダを用いる例を示したが、本発明はこれに限らない。たとえば、本発明の録画装置として、録画機能付きのテレビジョン装置を用いてもよい。
【符号の説明】
【００６７】
１０  ハードディスクレコーダ（録画装置）
１３  ハードディスク（コンテンツ記録部）
１６ｃ  決定ボタン（変更ボタン）
１６ｄ  整理画面呼び出しボタン（呼び出しボタン）
１７  メモリ（分類情報記憶部）
３０  テレビジョン装置（表示装置）
【図１】
2011234273.tif 000003
【図２】
2011234273.tif 000004
【図３】
2011234273.tif 000005
【図４】
2011234273.tif 000006
【図５】
2011234273.tif 000007
【図６】
2011234273.tif 000008
【図７】
2011234273.tif 000009
【図８】
2011234273.tif 000010
【図９】
2011234273.tif 000011
【図１０】
2011234273.tif 000012
【図１１】
2011234273.tif 000013
【図１２】
2011234273.tif 000014
【図１３】
2011234273.tif 000015
【図１４】
2011234273.tif 000016
【図１５】
2011234273.tif 000017